(57)【要約】【課題】入力電力が低下した場合に、システム給電を補償する。【解決手段】発電装置が生成した入力電力に応じて、負荷に出力電力を出力する電力供給回路であって、供給端子を有し、入力された入力電力に応じた供給電力を供給端子から出力する入出力部と、供給端子からの電力を蓄電する蓄電装置に接続される蓄電端子と、供給電力または蓄電装置に蓄電された蓄電電力が入力されて、負荷に出力電力を出力する負荷端子と、蓄電端子を、供給端子および負荷端子に接続するか否かを切り替える第１スイッチとを備える電力供給回路を提供する。【選択図】図２
2015104179.tif 000002
【特許請求の範囲】
【請求項１】
発電装置が生成した入力電力に応じて、負荷に出力電力を出力する電力供給回路であって、
供給端子を有し、入力された前記入力電力に応じた供給電力を前記供給端子から出力する入出力部と、
前記供給端子からの電力を蓄電する蓄電装置に接続される蓄電端子と、
前記供給電力または前記蓄電装置に蓄電された蓄電電力が入力されて、前記負荷に前記出力電力を出力する負荷端子と、
前記蓄電端子を、前記供給端子および前記負荷端子に接続するか否かを切り替える第１スイッチと
を備える電力供給回路。
【請求項２】
前記負荷端子を、前記供給端子および前記蓄電端子に接続するか否かを切り替える第２スイッチをさらに備える請求項１に記載の電力供給回路。
【請求項３】
前記蓄電装置の容量よりも小さな容量を有する第１コンデンサが接続されるコンデンサ端子と、
前記供給端子を、前記コンデンサ端子、前記負荷端子および前記蓄電端子に接続するか否かを切り替える第３スイッチと
を更に備える請求項２に記載の電力供給回路。
【請求項４】
前記コンデンサ端子の電圧に基づいて前記第１スイッチを制御する切替制御部をさらに備える請求項３に記載の電力供給回路。
【請求項５】
前記切替制御部は、前記コンデンサ端子の電圧に基づいて前記第２スイッチを制御する請求項４に記載の電力供給回路。
【請求項６】
前記切替制御部は、前記供給端子の電圧に基づいて前記第３スイッチを制御する請求項４または５に記載の電力供給回路。
【請求項７】
前記第１スイッチの一端は前記蓄電端子に接続され、他端は前記第２スイッチおよび前記第３スイッチに接続され、
前記第２スイッチの一端は前記負荷端子に接続され、他端は前記第１スイッチおよび前記第３スイッチに接続され、
前記第３スイッチの一端は前記供給端子に接続され、他端は前記第１スイッチおよび前記第２スイッチに接続され、
前記コンデンサ端子は前記第１スイッチ、前記第２スイッチおよび前記第３スイッチの前記他端に接続される
請求項４から６のいずれか一項に記載の電力供給回路。
【請求項８】
前記切替制御部は、前記供給端子の電圧が、予め定められたコンデンサ蓄電開始電圧を超えた場合に、前記第３スイッチはオンして、前記第１スイッチおよび第２スイッチをオフにする請求項７に記載の電力供給回路。
【請求項９】
前記切替制御部は、前記コンデンサ端子の電圧が、前記コンデンサ蓄電開始電圧より小さな電力供給開始電圧を超えた場合に、前記第２スイッチおよび前記第３スイッチをオンして、前記第１スイッチをオフする請求項８に記載の電力供給回路。
【請求項１０】
前記切替制御部は、前記コンデンサ端子の電圧が、前記コンデンサ蓄電開始電圧および前記電力供給開始電圧より大きな蓄電装置蓄電開始電圧を超えた場合に、前記第１スイッチがオンされる請求項９に記載の電力供給回路。
【請求項１１】
前記切替制御部は、前記入力電力が前記入出力部の動作に必要な電力に満たない場合、前記第３スイッチをオフして、前記第１スイッチおよび前記第２スイッチをオンすることにより、前記蓄電電力を前記第１スイッチおよび前記第２スイッチを介して前記負荷端子に出力する請求項４から１０のいずれか一項に記載の電力供給回路。
【請求項１２】
前記蓄電装置および前記第１コンデンサを備える請求項３から１１のいずれか一項に記載の電力供給回路。
【請求項１３】
前記入出力部は、
前記第１コンデンサの容量よりも小さい容量を有する第２コンデンサを有し、
前記入力電力を前記第２コンデンサに蓄電することにより昇圧するＤＣ／ＤＣコンバータである請求項３から１２のいずれか一項に記載の電力供給回路。
【請求項１４】
前記ＤＣ／ＤＣコンバータは、前記入力電力の電圧が下側電圧以下の場合に停止し、前記入力電力の電圧が前記下側電圧より大きい上側電圧以上になった場合、動作開始し、
前記ＤＣ／ＤＣコンバータが停止してから再び動作するまでの時間が、予め定められた時間よりも短い場合、前記下側電圧と前記上側電圧をともに上昇させ、
前記ＤＣ／ＤＣコンバータが停止してから再び動作するまでの時間が、予め定められた時間よりも長い場合、前記下側電圧と前記上側電圧を減少させる請求項１３に記載の電力供給回路。
【請求項１５】
前記ＤＣ／ＤＣコンバータは、前記入力電力の電圧が下側電圧以下の場合に停止し、前記入力電力の電圧が前記下側電圧より大きい上側電圧以上のなった場合、動作開始し、
前記ＤＣ／ＤＣコンバータは、動作してから停止するまでの時間が、予め定められた時間よりも長い場合、前記下側電圧と前記上側電圧を上昇させ、
前記ＤＣ／ＤＣコンバータは、動作してから停止するまでの時間が、予め定められた時間よりも短い場合、前記下側電圧と前記上側電圧を減少させる請求項１３または１４に記載の電力供給回路。
【請求項１６】
発電装置が発電した入力電力に応じて、電力供給回路が負荷に出力電力を出力する電力供給回路であって、
供給端子を有し、入力された前記入力電力に応じて前記供給端子から供給電力を出力する入出力部と、
第１コンデンサが接続されたコンデンサ端子と、
前記負荷が接続された負荷端子と、
前記第１コンデンサよりも大きな容量を有する蓄電装置が接続された蓄電端子と
を備え、
前記供給端子の電圧が予め定められたコンデンサ蓄電開始電圧を超えた場合に、前記供給電力を前記コンデンサ端子に出力し、
前記コンデンサ端子の電圧が、前記コンデンサ蓄電開始電圧より小さな電力供給開始電圧を超えた場合に、前記第１コンデンサおよび前記入出力部から前記負荷端子に電力を出力し、
前記コンデンサ端子の電圧が、前記コンデンサ蓄電開始電圧および前記電力供給開始電圧より大きな蓄電装置蓄電開始電圧を超えた場合に、前記負荷端子および前記蓄電端子に対して前記供給電力を出力する電力供給回路。
【請求項１７】
前記入力電力が前記入出力部の動作に必要な電力に満たない場合、前記供給電力を遮断して、前記蓄電装置に蓄電された蓄電電力を前記負荷端子に出力する請求項１６に記載の電力供給回路。
【発明の詳細な説明】
【技術分野】
【０００１】
本発明は、電力供給回路に関する。
【背景技術】
【０００２】
太陽電池の出力した電力を負荷に供給する電力供給回路において、電力供給回路の出力を蓄電する２次電池が負荷側に設けられた回路が知られている（例えば、特許文献１参照）。
特許文献１  特開２００７−０８９３７３号公報
【発明の概要】
【発明が解決しようとする課題】
【０００３】
従来の電力供給回路は、同一端子から２次電池と負荷に電力を供給する。このため、２次電池の電圧が負荷駆動電圧に上昇して負荷が駆動するまでに待ち時間が生じる。また、待ち時間を短くするために２次電池の容量を小さくすると、発電停止時の負荷の稼働時間が短くなる。
【課題を解決するための手段】
【０００４】
本発明の第１態様においては、発電装置が生成した入力電力に応じて、負荷に出力電力を出力する電力供給回路であって、供給端子を有し、入力された入力電力に応じた供給電力を供給端子から出力する入出力部と、供給端子からの電力を蓄電する蓄電装置に接続される蓄電端子と、供給電力または蓄電装置に蓄電された蓄電電力が入力されて、負荷に出力電力を出力する負荷端子と、蓄電端子を、供給端子および負荷端子に接続するか否かを切り替える第１スイッチとを備える電力供給回路を提供する。
【０００５】
本発明の第２態様においては、発電装置が発電した入力電力に応じて、電力供給回路が負荷に出力電力を出力する電力供給回路であって、供給端子を有し、入力された入力電力に応じて供給端子から供給電力を出力する入出力部と、第１コンデンサが接続されたコンデンサ端子と、負荷が接続された負荷端子と、第１コンデンサよりも大きな容量を有する蓄電装置が接続された蓄電端子とを備え、供給端子の電圧が予め定められた電力蓄積開始電圧を超えた場合に、供給電力をコンデンサ端子に出力し、コンデンサ端子の電圧が、電力蓄積開始電圧より小さな電力供給開始電圧を超えた場合に、第１コンデンサおよび入出力部から負荷端子に電力を出力し、コンデンサ端子の電圧が、電力蓄積開始電圧、または電力供給開始電圧より大きなスキップ開始電圧を超えた場合に、負荷端子および蓄電端子に対して供給電力を出力する電力供給回路を提供する。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】本発明に係る電力供給回路１００の構成の一例を示す。
【図２】本実施形態に係る電力供給回路１００の具体的な構成を示す。
【図３】動作閾値電圧の大小関係を示す。
【図４】入出力部２０の動作の一例を示すフロー図である。
【図５】第３スイッチＦ３の動作の一例を示すフロー図である。
【図６】第１スイッチＦ１の動作の一例を示すフロー図である。
【図７】第２スイッチＦ２の動作の一例を示すフロー図である。
【図８】電力供給回路１００の動作の一例を示す。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、本発明に係る電力供給回路１００の構成の一例を示す。電力供給回路１００は、発電装置１０が生成した入力電力Ｐｉｎに応じて、負荷４０に出力電力Ｐｏｕｔを出力する。電力供給回路１００は、入出力部２０、切替部３０および切替制御部７０を備え、発電装置１０、負荷４０、第１コンデンサ５０および蓄電装置６０が接続される。また、電力供給回路１００は、発電装置１０、第１コンデンサ５０および蓄電装置６０を備えてよい。電力供給回路１００は、発電装置１０が生成した入力電力Ｐｉｎが入力端子ＶＩＮに入力される。
【００１０】
発電装置１０は、屋外光もしくは室内光などの光電変換、またはペルチェなど熱電変換素子等の環境エネルギーに基づいて発電する。発電装置１０は、発電した入力電力Ｐｉｎを入出力部２０に出力する。発電装置１０は、一般的なシリコンタイプの太陽電池セルの他に、色素増感型太陽電池セルであってよい。また、発電装置１０は、１セルの太陽電池等で構成される入力電力Ｐｉｎの小さな発電装置であってよい。
【００１１】
入出力部２０は、入力された入力電力Ｐｉｎに応じた供給電力Ｐｄｄｃを切替部３０に出力する。例えば入出力部２０は、ＤＣ／ＤＣコンバータにより、入力電力Ｐｉｎを供給電力Ｐｄｄｃに昇圧する。
【００１２】
切替部３０は、入出力部２０、負荷端子ＶＯＵＴ、コンデンサ端子ＶＯ、蓄電端子ＶＳおよび切替制御部７０に接続される。負荷端子ＶＯＵＴには負荷４０が接続され、コンデンサ端子ＶＯには、第１コンデンサ５０が接続され、蓄電端子ＶＳには第１コンデンサ５０よりも大きな容量を有する蓄電装置６０が接続される。
【００１３】
切替部３０は、供給端子ＶＤＤＣと負荷端子ＶＯＵＴとを接続するか否か、および、供給端子ＶＤＤＣと蓄電端子ＶＳとを接続するか否かをそれぞれ独立に切り替える。また、切替部３０は、蓄電端子ＶＳと負荷端子ＶＯＵＴを接続するか否かを切り替える。
【００１４】
負荷４０は、切替部３０が出力した出力電力Ｐｏｕｔにより動作する。切替部３０は、出力電圧Ｖｏｕｔが負荷４０の動作に必要な電圧以上の場合に、負荷４０に出力電力Ｐｏｕｔを出力してよい。
【００１５】
第１コンデンサ５０は、負荷４０の動作に必要な電力が蓄電されるまで一時的に供給電力Ｐｄｄｃを蓄電する。第１コンデンサ５０は、蓄電装置６０の容量よりも小さな容量を有する。入出力部２０が出力した供給電力Ｐｄｄｃの一部が第１コンデンサ５０に蓄電される。
【００１６】
蓄電装置６０は、入出力部２０が出力した供給電力Ｐｄｄｃのうち、負荷４０および第１コンデンサ５０で消費されない余剰の電力を蓄電する。蓄電装置６０は、発電装置１０の発電量が低下した場合に、負荷４０を駆動させる電圧補償用のコンデンサであってよい。
【００１７】
切替制御部７０は、供給端子ＶＤＤＣ、コンデンサ端子ＶＯ、蓄電端子ＶＳ、および、負荷端子ＶＯＵＴの電圧に基づいて、切替部３０を制御する。例えば、切替部３０は、供給端子ＶＤＤＣの電圧が予め定められた第１コンデンサ蓄電開始電圧を超えた場合に、供給電力Ｐｄｄｃをコンデンサ端子ＶＯに出力する。切替部３０は、第１コンデンサ５０が充電され、コンデンサ端子ＶＯの電圧が、予め定められた電力供給開始電圧を超えた場合に、第１コンデンサ５０および入出力部２０から負荷端子ＶＯＵＴに電力を出力する。電力供給開始電圧は、第１コンデンサ蓄電開始電圧より小さくてよい。
【００１８】
切替部３０は、コンデンサ端子ＶＯの電圧が、第１コンデンサ蓄電開始電圧および電力供給開始電圧より大きな蓄電装置蓄電開始電圧を超えた場合に、負荷端子ＶＯＵＴおよび蓄電端子ＶＳに対して供給電力Ｐｄｄｃを出力する。これにより電力供給回路１００は、負荷４０に出力電力Ｐｏｕｔを供給しつつ、蓄電装置６０を蓄電できる。本例の電力供給回路１００は、負荷４０の駆動開始時に大容量の蓄電装置６０を入出力部２０に接続せず、小容量の第１コンデンサ５０を入出力部２０に接続するので、待ち時間を短縮できる。
【００１９】
切替部３０は、入力電力Ｐｉｎが入出力部２０の動作に必要な電力に満たない場合、供給電力Ｐｄｄｃを遮断して、蓄電装置６０に蓄電された蓄電電力を負荷端子ＶＯＵＴに出力する。これにより電力供給回路１００は、入力電力Ｐｉｎが低下した場合に、負荷４０の動作を補償する。
【００２０】
図２は、本実施形態に係る電力供給回路１００の具体的な構成を示す。本例の電力供給回路１００は、電圧発生部８０と接続される。入出力部２０は、スタートアップ回路２１、入力電圧モニター部２４、制御回路２５、スイッチＳ１、Ｎ１、Ｐ１およびダイオードＤ１を備える。入出力部２０は、電力供給回路１００の外部に設けられたインダクタＬおよび第２コンデンサ２３と共にＤＣ／ＤＣコンバータ２２を構成する。
【００２１】
スタートアップ回路２１は、入出力部２０等の内部回路を動作させるために、入力電力Ｐｉｎを昇圧する。入力電力Ｐｉｎは、ＤＣ／ＤＣコンバータ２２の入力端子ＶＩＮに接続されたコンデンサＣＶＩＮに蓄電される。スタートアップ回路２１は、コンデンサＣＶＩＮに蓄電された電力をチャージポンプ出力端子ＶＣＰに出力して、コンデンサＣＶＣＰに蓄電する。これにより入力電力ＰｉｎはＤＣ／ＤＣコンバータ２２がＤＣＤＣ動作できる程度に昇圧される。
【００２２】
スタートアップ回路２１は、チャージポンプ端子ＶＣＰの電圧がＤＣ／ＤＣコンバータ２２のＤＣ／ＤＣ動作できる程度に昇圧された場合スイッチＳ１をオンする。スイッチＳ１は、ＮＭＯＳトランジスタで構成され、一端がコイル接続端子ＳＷに接続され、他端が接地される。スタートアップ回路２１がスイッチＳ１をオンすることにより、発電装置１０およびコイル接続端子ＳＷの間に接続されたコイルＬに電力が貯まる。
【００２３】
スタートアップ回路２１がスイッチＳ１をオフすることにより、コイルＬに貯まった電力は、ダイオードＤ１を通して供給端子ＶＤＤＣに接続された第２コンデンサ２３に入力される。第２コンデンサ２３には、スイッチＳ１がオンオフを繰り返すことにより、コイルＬに蓄積されたエネルギーが蓄電される。本例の第２コンデンサ２３の容量は、第１コンデンサ５０の容量よりも小さい。
【００２４】
スタートアップ回路２１は、供給端子ＶＤＤＣの電圧がスタートアップ終了電圧Ｖｓｔａｒｔｕｐ_ｅｎｄ以上に昇圧した場合に停止する。また、スタートアップ回路２１は、供給端子ＶＤＤＣの電圧がスタートアップ終了電圧Ｖｓｔａｒｔｕｐ_ｅｎｄよりも所定電圧以上小さくなる場合に動作を再開する。なおＤＣ／ＤＣコンバータ２２は、スタートアップ回路２１を有さずに、入力電力Ｐｉｎを直接昇圧する構成としてもよい。
【００２５】
制御回路２５は、供給端子ＶＤＤＣの電圧がスタートアップ終了電圧Ｖｓｔａｒｔｕｐ_ｅｎｄ以上になると、供給端子ＶＤＤＣを電源として動作する。制御回路２５は、同期整流の昇圧ＤＣ／ＤＣコンバータとなるよう、スイッチＮ１およびＰ１を交互にオンオフする。スイッチＮ１は、Ｎ型のＭＯＳＦＥＴで構成され、一端がコイル接続端子ＳＷに接続され、他端が接地される。スイッチＰ１は、Ｐ型のＭＯＳＦＥＴで構成され、ダイオードＤ１と並列に接続される。これにより供給端子ＶＤＤＣの電圧が、出力電圧設定端子ＶＯＳＥＴで指定されるターゲット電圧ＶＴＧＴまで昇圧する。
【００２６】
切替部３０は、ＤＣ／ＤＣコンバータ２２により昇圧された供給電力Ｐｄｄｃをスイッチにより切り替えて負荷４０、第１コンデンサ５０および蓄電装置６０に供給する。切替部３０は、第１スイッチＦ１、第２スイッチＦ２および第３スイッチＦ３を有する。切替制御部７０は、各スイッチＦ１、Ｆ２、Ｆ３のオンオフを切り替える。
【００２７】
第１スイッチＦ１は、蓄電端子ＶＳを、供給端子ＶＤＤＣおよび負荷端子ＶＯＵＴに接続するか否かを切り替える。第１スイッチＦ１の一端は蓄電端子ＶＳに接続され、他端は第２スイッチＦ２および第３スイッチＦ３に接続される。切替制御部７０は、コンデンサ端子ＶＯの電圧に基づいて第１スイッチＦ１のオンオフを制御する。
【００２８】
第２スイッチＦ２は、負荷端子ＶＯＵＴを、供給端子ＶＤＤＣおよび蓄電端子ＶＳに接続するか否かを切り替える。第２スイッチＦ２の一端は負荷端子ＶＯＵＴに接続され、他端は第１スイッチＦ１および第３スイッチＦ３に接続される。切替制御部７０は、コンデンサ端子ＶＯの電圧に基づいて第２スイッチＦ２のオンオフを制御する。
【００２９】
第３スイッチＦ３は、供給端子ＶＤＤＣを負荷端子ＶＯＵＴおよび蓄電端子ＶＳに接続するか否かを切り替える。第３スイッチＦ３の一端は供給端子ＶＤＤＣに接続され、他端は第１スイッチＦ１および第２スイッチＦ２に接続される。切替制御部７０は、供給端子ＶＤＤＣの電圧に基づいて第３スイッチＦ３を制御する。本例のコンデンサ端子ＶＯは第１スイッチＦ１、第２スイッチＦ２および第３スイッチＦ３の上記他端に接続される。
【００３０】
切替制御部７０は、ＶＯＫ端子およびＶＡＬＭ端子に接続される。切替制御部７０は、検出した供給端子ＶＤＤＣ、コンデンサ端子ＶＯ、負荷端子ＶＯＵＴおよび蓄電端子ＶＳの電圧に基づいて、負荷４０の動作に関する信号を、ＶＯＫ端子およびＶＡＬＭ端子に出力する。
【００３１】
ＶＯＫ端子は、切替制御部７０から入力されたＶＯＫ信号を負荷４０に出力する。ＶＯＫ信号は、負荷端子ＶＯＵＴから出力電力Ｐｏｕｔを出力できる状態か否かを示す信号であり、ＶＯＫ信号がハイの場合に、負荷端子ＶＯＵＴから出力電力Ｐｏｕｔを出力できる状態であると負荷４０に示す。
【００３２】
ＶＡＬＭ端子は、切替制御部７０から入力されたＶＡＬＭ信号を負荷４０に出力する。ＶＡＬＭ信号は、蓄電装置６０の電圧低下を示す信号である。ＶＡＬＭ信号は、出力電力Ｐｏｕｔが予め定められたＶＦ２ＯＮ電圧を超えてから、蓄電端子ＶＳの電圧がＶＶＡＬＭ電圧を超えるまで、ハイとなる。つまり、出力電力Ｐｏｕｔが負荷４０に出力されている状態において、蓄電装置６０に蓄電された蓄電電力が出力電力Ｐｏｕｔを補償できない場合にＶＡＬＭ信号がハイとなって負荷４０に警告する。
【００３３】
入力電圧モニター部２４は、検出した電圧を制御回路２５に出力する。例えば、制御回路２５は、最大電力点追従（ＭＰＰＴ：Ｍａｘｉｍｕｍ  Ｐｏｗｅｒ  Ｐｏｉｎｔ  Ｔｒａｃｋｉｎｇ）方式により、発電装置１０の出力電力が最大となるように、スイッチＮ１およびＰ１のオンオフを制御する。入力電圧モニター部２４は、入力電力Ｐｉｎ、ＭＰＰＨ端子の電圧およびＭＰＰＬ端子の電圧を検出して、制御回路２５に出力する。
【００３４】
ＭＰＰＴ方式では、最大電力点付近で動作するように最大電圧ＶＭＰＰＨおよび最小電圧ＶＭＰＰＬが予め定められて、その範囲に入力端子ＶＩＮの電圧が制御される。ＭＰＰＨ端子の電圧およびＭＰＰＬ端子の電圧は、最大電圧ＶＭＰＰＨおよび最小電圧ＶＭＰＰＬを規定する。制御回路２５は、入力電力Ｐｉｎの電圧が最大電圧ＶＭＰＰＨ以上の場合、スイッチＮ１を特定時間あるいはカレントリミットになるまでオンする。その後、制御回路２５は、スイッチＮ１をオフして、スイッチＰ１を電流が負荷端子ＶＯＵＴ側に流れている間オンする。また、制御回路２５は、電流が供給端子ＶＤＤＣからＳＷ端子に逆流したところでスイッチＰ１をオフして、スイッチＮ１をオンする。
【００３５】
制御回路２５は、入力端子ＶＩＮの電圧が最小電圧ＶＭＰＰＬ以下になるまでスイッチＮ１およびＰ１のオンオフを繰り返す。入力端子ＶＩＮの電圧が最小電圧ＶＭＰＰＬに下がると、スイッチＮ１はオンせず、入力端子ＶＩＮの電圧が再び最大電圧ＶＭＰＰＨ以上になるまでＤＣ／ＤＣコンバータ２２は停止する。
【００３６】
入力電圧モニター部２４は、入力端子ＶＩＮの電圧が最大電圧ＶＭＰＰＨを常時超えている場合、または、スイッチングによる電圧低下後、予め定められた期間内に最大電圧ＶＭＰＰＨ以上となる場合、ＤＤＣＯＮ端子にハイを出力する。また、入力電圧モニター部２４は、入力端子ＶＩＮの電圧が予め定められた期間内に最大電圧ＶＭＰＰＨ以上にならない場合、必要な電力が得られない入力条件と判断して、ＤＤＣＯＮ端子にローを出力する。
【００３７】
ＤＤＣＯＮ端子は、ＤＣ／ＤＣコンバータ２２が動作中であるか否かを示すＤＤＣＯＮ信号を電力供給回路１００の外部に出力する。例えばＤＤＣＯＮ信号がハイの場合、ＤＣ／ＤＣコンバータ２２が動作中であることを示す。
【００３８】
制御回路２５は、例えば、入力電圧モニター部２４からローのＤＤＣＯＮ信号が出力されている場合に、供給端子ＶＤＤＣの電圧で動作するＤＣ／ＤＣ動作を停止して、供給端子ＶＤＤＣからの内部消費抑える。そして供給端子ＶＤＤＣと切替部３０との接続が切断されて、スタートアップ回路２１に制御が戻される。
【００３９】
電圧発生部８０は、抵抗Ｒｍｐｐｌ、抵抗Ｒｍｐｐｈ、抵抗Ｒｉｎ、抵抗Ｒｏｕｔ、抵抗Ｒｖｏｓｅｔ、抵抗Ｒｖａｓｅｔおよび抵抗Ｒｖｌｓｅｔを備える。電圧発生部８０は、ＰＧＮＤ端子、ＧＮＤ端子、ＤＤＣＯＮ端子、ＭＰＰＬ端子、ＭＰＰＨ端子、ＶＲＥＦ端子、ＶＯＳＥＴ端子、ＶＡＳＥＴ端子およびＶＬＳＥＴ端子に接続される。
【００４０】
ＭＰＰＬ端子は、抵抗Ｒｍｐｐｌを介してグラウンドに接続されて最小電圧ＶＭＰＰＬに設定される。また、ＭＰＰＨ端子は、他端が抵抗Ｒｍｐｐｌを介してグラウンドに接続された抵抗Ｒｍｐｐｈと接続されて最大電圧ＶＭＰＰＨに設定される。
【００４１】
ＶＬＳＥＴ端子は、蓄電装置６０の下限電圧である蓄電下限電圧ＶＶＳＬＯＷに設定される。蓄電端子ＶＳの電圧が蓄電下限電圧ＶＶＳＬＯＷ以上であれば、第１スイッチＦ１がオンされて蓄電装置６０への給電が継続される。ＶＬＳＥＴ端子は、抵抗Ｒｖｌｓｅｔを介してグラウンドに接続されて、蓄電下限電圧ＶＶＳＬＯＷに設定される。
【００４２】
ＶＡＳＥＴ端子は、蓄電装置６０の電圧低下を警告するＶＶＡＬＭ電圧に設定される。ＶＡＳＥＴ端子は、他端が抵抗Ｒｖｌｓｅｔを介してグラウンドに接続された抵抗Ｒｖａｓｅｔと接続されてＶＶＡＬＭ電圧に設定される。
【００４３】
ＶＯＳＥＴ端子は、負荷４０に応じたターゲット電圧ＶＴＧＴに設定される。ＶＯＳＥＴ端子は、他端が抵抗Ｒｖｌｓｅｔおよび抵抗Ｒｖａｓｅｔを介してグラウンドに接続された抵抗Ｒｖｏｓｅｔと接続されてターゲット電圧ＶＴＧＴに設定される。
【００４４】
ＶＲＥＦ端子は、基準電圧出力部７５に接続される。ＶＲＥＦ端子には、内部基準電圧Ｖｒｅｆが入力される。ＶＲＥＦ端子は、抵抗Ｒｉｎを用いて、ＭＰＰＨ端子およびＭＰＰＬ端子の電圧を補償する。また、ＶＲＥＦ端子は、抵抗Ｒｏｕｔを用いて、ＶＯＳＥＴ端子、ＶＡＳＥＴ端子およびＶＬＳＥＴ端子の電圧を生成する。ＰＧＮＤ端子およびＧＮＤ端子は、それぞれグラウンドに接続される。
【００４５】
図３は、動作閾値電圧の大小関係を示す。動作閾値電圧には、スタートアップ終了電圧、第１コンデンサ蓄電開始電圧、蓄電装置蓄電開始電圧、スキップ開始電圧および電力供給開始電圧が含まれる。図３において、動作閾値電圧を括弧内の端子の電圧が超えることにより、各動作閾値電圧に対応する動作が開始される。また、図３において、各動作閾値電圧から予め定められた微小電圧だけ低い電圧を、括弧内の端子の電圧が下回ることにより、各動作閾値電圧に対応する動作が終了する。本例の動作閾値電圧は、スタートアップ終了電圧、電力供給開始電圧、第１コンデンサ蓄電開始電圧、蓄電装置蓄電開始電圧、スキップ開始電圧の順で大きくなる。また、第１コンデンサ蓄電開始電圧、蓄電装置蓄電開始電圧、スキップ開始電圧および電力供給開始電圧は、ＶＯＳＥＴ端子におけるターゲット電圧ＶＴＧＴに基づいて生成されてよい。
【００４６】
図３におけるスタートアップ終了電圧は、スタートアップ回路２１の動作が終了して、ＤＣ／ＤＣコンバータ２２がＤＣ／ＤＣ動作を開始する電圧である。チャージポンプ出力端子ＶＣＰの電圧により、動作する非同期昇圧ＤＣ／ＤＣの出力としてのＶＤＤＣ端子電圧がスタートアップ終了電圧よりも大きい場合に、ＤＣ／ＤＣコンバータ２２が動作を開始する。
【００４７】
第１コンデンサ蓄電開始電圧は、第３スイッチＦ３をオンして、第１コンデンサ５０への蓄電が開始される供給端子ＶＤＤＣの電圧である。切替制御部７０は、供給端子ＶＤＤＣの電圧が第１コンデンサ蓄電開始電圧を超えると、第３スイッチＦ３をオンし、第１スイッチＦ１および第２スイッチＦ２は、コンデンサ端子ＶＯの電圧がまだ目標より低い場合、オフを維持する。これにより、コンデンサ端子ＶＯの電圧が徐々に上昇する。
【００４８】
電力供給開始電圧は、負荷４０への電力供給を開始するコンデンサ端子ＶＯの電圧である。切替制御部７０は、コンデンサ端子ＶＯの電圧が、第１コンデンサ蓄電開始電圧より小さな電力供給開始電圧を超えた場合に、第２スイッチＦ２をオンにする。このとき、第１スイッチＦ１はオフ状態を維持する。これにより、第１コンデンサ５０に蓄積された電力が負荷４０に出力される。
【００４９】
蓄電装置蓄電開始電圧は、第１スイッチＦ１をオンにして、蓄電装置６０への蓄電が開始されるコンデンサ端子ＶＯの電圧である。負荷４０および第１コンデンサ５０に電力を供給している状態で、コンデンサ端子ＶＯの電圧が更に上昇して、第１コンデンサ蓄電開始電圧より大きい蓄電装置蓄電開始電圧を超えた場合、入出力部２０が出力している出力電力Ｐｄｄｃに余りが生じていると判定できる。このような場合、切替制御部７０は、第１スイッチＦ１をオンして、蓄電装置６０にも電力を供給する。このとき、第２スイッチはオンに維持される。
【００５０】
スキップ開始電圧は、ＤＣ／ＤＣコンバータ２２の動作を停止させる供給端子ＶＤＤＣの電圧である。このような動作により、供給端子ＶＤＤＣの電圧が上がりすぎることを防ぐ。切替制御部７０は、供給端子ＶＤＤＣの電圧が、スキップ開始電圧を超えた場合に、ＤＣ／ＤＣコンバータ２２の動作を停止させる。切替制御部７０は、供給端子ＶＤＤＣの電圧が、スキップ開始電圧より予め定められた電圧だけ低い電圧を下回った場合に、ＤＣＤＣコンバータ２２の動作を再開させて、第３スイッチＦ３をオンにする。これにより、供給端子ＶＤＤＣの電圧を、スキップ開始電圧近傍に維持することができる。
【００５１】
また、切替制御部７０は、入力電力Ｐｉｎが入出力部２０の動作に必要な電力に満たない場合、第３スイッチＦ３をオフして、蓄電端子ＶＳの電圧が、蓄電下限電圧ＶＶＳＬＯＷ以上で、コンデンサ端子ＶＯの電圧が、蓄電端子ＶＳの電圧を下回った場合、第１スイッチＦ１および第２スイッチＦ２をオンすることにより、第１スイッチＦ１と第２スイッチＦ２とを介して蓄電電力を負荷端子ＶＯＵＴに出力する。
【００５２】
図４は、入出力部２０の動作の一例を示すフロー図である。ステップＳ１００〜ステップＳ１６０において、スタートアップ回路２１およびＤＣ／ＤＣコンバータ２２の動作を制御して、供給端子ＶＤＤＣの電圧を昇圧する。
【００５３】
ステップＳ１００において、発電装置１０は、例えば１．０Ｖ以下の微小な電力を発電して入出力部２０に出力する。ステップＳ１１０において、スタートアップ回路２１は、スタートアップ回路２１の入力端子ＶＩＮの電圧が予め定められた電圧以上になると起動する。スタートアップ回路２１が起動する電圧は、例えばスタートアップ終了電圧Ｖｓｔａｒｔｕｐ_ｅｎｄよりも小さい値である。
【００５４】
ステップＳ１２０において、供給端子ＶＤＤＣの電圧とスタートアップ終了電圧Ｖｓｔａｒｔｕｐ＿ｅｎｄとを比較した結果に基づいて、スタートアップ回路２１が制御される。供給端子ＶＤＤＣの電圧がスタートアップ終了電圧Ｖｓｔａｒｔｕｐ＿ｅｎｄよりも大きい場合、ＤＣ／ＤＣコンバータ２２が動作する（ステップＳ１３０）。一方、供給端子ＶＤＤＣの電圧がスタートアップ終了電圧Ｖｓｔａｒｔｕｐ＿ｅｎｄ以下の場合、引き続きスタートアップ回路２１を動作させる（ステップＳ１１０）。
【００５５】
ステップＳ１４０において、供給端子ＶＤＤＣの電圧とスキップ開始電圧Ｖｔａｒｇｅｔ１とを比較した結果に基づいて、ＤＣ／ＤＣコンバータ２２を動作させるか否かが制御される。供給端子ＶＤＤＣの電圧がスキップ開始電圧Ｖｔａｒｇｅｔ１よりも大きい場合、ＤＣ／ＤＣコンバータ２２を停止させる（ステップＳ１５０）。一方、供給端子ＶＤＤＣの電圧がスキップ開始電圧Ｖｔａｒｇｅｔ１以下の場合、引き続きＤＣ／ＤＣコンバータ２２を動作させる（ステップＳ１３０）。
【００５６】
ＤＣ／ＤＣコンバータ２２が停止すると、供給端子ＶＤＤＣの電圧は徐々に降下する。ステップＳ１６０において、スキップ開始電圧Ｖｔａｒｇｅｔ１から所定の電圧αを減じた電圧と、供給端子ＶＤＤＣの電圧とを比較した結果に基づいて、ＤＣ／ＤＣコンバータ２２を制御する。ここで、αは任意の電圧値であってよい。供給端子ＶＤＤＣの電圧がスキップ開始電圧Ｖｔａｒｇｅｔ１−α以上の場合、ＤＣ／ＤＣコンバータ２２を引き続き停止させる（ステップＳ１５０）。一方、供給端子ＶＤＤＣの電圧がスキップ開始電圧Ｖｔａｒｇｅｔ１−αより小さい場合、ＤＣ／ＤＣコンバータ２２を動作させる（ステップＳ１３０）。このような動作により、供給端子ＶＤＤＣの電圧を、スキップ開始電圧Ｖｔａｒｇｅｔ１〜スキップ開始電圧Ｖｔａｒｇｅｔ１−αの範囲に維持することができる。
【００５７】
図５は、第３スイッチＦ３の動作の一例を示すフロー図である。ステップＳ２００〜ステップＳ２３０において、供給端子ＶＤＤＣの電圧に基づいて第１スイッチＦ１のオンオフを制御することにより、コンデンサ端子ＶＯの電圧を昇圧する。
【００５８】
ステップＳ２００において、第３スイッチＦ３はオフされた初期状態にある。第３スイッチＦ３がオフされた状態において、入力電力Ｐｉｎが第２コンデンサ２３に蓄電され、供給端子ＶＤＤＣの電圧が上昇する。
【００５９】
ステップＳ２１０において、供給端子ＶＤＤＣの電圧とコンデンサ蓄電開始電圧Ｖｔａｒｇｅｔ２とを比較した結果に基づいて、第３スイッチＦ３が制御される。供給端子ＶＤＤＣの電圧がコンデンサ蓄電開始電圧Ｖｔａｒｇｅｔ２よりも大きい場合、第３スイッチＦ３の接続をオンする（ステップＳ２２０）。一方、供給端子ＶＤＤＣの電圧がコンデンサ蓄電開始電圧Ｖｔａｒｇｅｔ２以下の場合、引き続き第３スイッチＦ３をオフする（ステップＳ２００）。
【００６０】
第１コンデンサ５０の蓄電を開始すると、供給端子ＶＤＤＣの電圧が低下する場合がある。ステップＳ２３０において、コンデンサ蓄電開始電圧Ｖｔａｒｇｅｔ２−βと供給端子ＶＤＤＣの電圧とを比較した結果に基づいて、第３スイッチＦ３が制御される。ここで、βは、任意の電圧値である。供給端子ＶＤＤＣの電圧がコンデンサ蓄電開始電圧Ｖｔａｒｇｅｔ２−β以上の場合、第３スイッチＦ３を引き続きオンして第１コンデンサ５０を蓄電する（ステップＳ２２０）。一方、供給端子ＶＤＤＣの電圧がコンデンサ蓄電開始電圧Ｖｔａｒｇｅｔ２−βより小さい場合、第３スイッチＦ３をオフして、第１コンデンサ５０への蓄電を停止する（ステップＳ２００）。ステップＳ２００〜ステップＳ２３０を繰り返すことにより、供給端子ＶＤＤＣの電圧を制御回路２５の動作に影響のない所定の範囲に維持しつつ、第１コンデンサ５０に電力が蓄えられ、コンデンサ端子ＶＯの電圧が昇圧される。
【００６１】
図６は、第１スイッチＦ１の動作の一例を示すフロー図である。ステップＳ３００〜ステップＳ３３０において、コンデンサ端子ＶＯの電圧に基づいて第１スイッチＦ１のオンオフを制御することにより、蓄電端子ＶＳへの給電を制御する。
【００６２】
ステップＳ３００において、第１スイッチＦ１はオフされた初期状態にある。第１スイッチＦ１がオフ状態の場合、蓄電装置６０は蓄電されない。
【００６３】
ステップＳ３１０において、コンデンサ端子ＶＯの電圧と蓄電装置蓄電開始電圧Ｖｔａｒｇｅｔ３とを比較した結果に基づいて、第１スイッチＦ１が制御される。コンデンサ端子ＶＯの電圧が蓄電装置蓄電開始電圧Ｖｔａｒｇｅｔ３よりも大きい場合、第１スイッチＦ１の接続をオンして、蓄電装置６０への蓄電を開始する（ステップＳ３２０）。一方、コンデンサ端子ＶＯの電圧が蓄電装置蓄電開始電圧Ｖｔａｒｇｅｔ３を超えない場合、引き続き第１スイッチＦ１をオフする（ステップＳ３００）。
【００６４】
蓄電装置６０への蓄電を開始すると、コンデンサ端子ＶＯ（および負荷端子ＶＯＵＴ）の電圧が低下する場合がある。ステップＳ３３０において、蓄電装置蓄電開始電圧Ｖｔａｒｇｅｔ３−γとコンデンサ端子ＶＯの電圧とを比較した結果に基づいて、第１スイッチＦ１が制御される。ここで、γは、任意の電圧値である。コンデンサ端子ＶＯの電圧が蓄電装置蓄電開始電圧Ｖｔａｒｇｅｔ３−γ以上の場合、第１スイッチＦ１を引き続きオンする（ステップＳ３２０）。一方、コンデンサ端子ＶＯの電圧が蓄電装置蓄電開始電圧Ｖｔａｒｇｅｔ３を超えない場合、第１スイッチＦ１をオフして蓄電装置６０への蓄電を停止する（ステップＳ３００）。ステップＳ３００〜ステップＳ３３０を繰り返すことにより、負荷４０に出力される電圧を所定の範囲に維持しつつ、蓄電装置６０に電力を蓄電することができる。
【００６５】
図７は、第２スイッチＦ２の動作の一例を示すフロー図である。ステップＳ４００〜ステップＳ４５０において、コンデンサ端子ＶＯの電圧に基づいて第２スイッチＦ２のオンオフが制御されることにより、システム給電するか否かを制御する。システム給電とは、負荷４０に電力を供給することを指す。
【００６６】
ステップＳ４００、４１０において、第２スイッチＦ２がオフされることにより、システム給電は停止される。例えばシステム給電が停止されるのは、負荷４０が駆動するのに十分な電力がコンデンサ端子ＶＯに供給されていない状況である。
【００６７】
ステップＳ４２０において、コンデンサ端子ＶＯの電圧と電力供給開始電圧Ｖｔａｒｇｅｔ４とを比較した結果に基づいて、第２スイッチＦ２のオンオフが制御される。コンデンサ端子ＶＯの電圧が電力供給開始電圧Ｖｔａｒｇｅｔ４よりも大きい場合、第２スイッチＦ２がオンされ、システム給電が開始される（ステップＳ４３０、４４０）。一方、コンデンサ端子ＶＯの電圧が電力供給開始電圧以下の場合、引き続き第２スイッチＦ２がオフされて、システム給電が停止される（ステップＳ４００、４１０）。
【００６８】
システム給電を開始すると、例えば発電装置１０における発電量によっては、コンデンサ端子ＶＯの電圧が低下する。ステップＳ４５０において、コンデンサ端子ＶＯの電圧と電力供給開始電圧Ｖｔａｒｇｅｔ４およびＶｔａｒｇｅｔ４−εとを比較した結果に基づいて、第２スイッチＦ２のオンオフが制御される。コンデンサ端子ＶＯの電圧が電力供給開始電圧Ｖｔａｒｇｅｔ４−εよりも小さい場合、第２スイッチＦ２がオフされる（ステップＳ４００）。一方、コンデンサ端子ＶＯの電圧が電力供給開始電圧Ｖｔａｒｇｅｔ４−ε以上の場合、引き続き第２スイッチＦ２がオンされる（ステップＳ４３０）。なお、図４から７において説明したα、β、γ、εは、０．１Ｖ程度の電圧であってよいし、１Ｖ程度であってもよい。
【００６９】
図８は、電力供給回路１００の動作の一例を示す。横軸は時刻を示し、縦軸は各端子（供給端子ＶＤＤＣ、コンデンサ端子ＶＯ、蓄電端子ＶＳ、負荷端子ＶＯＵＴ）の電圧を示す。グラフの下には、第１スイッチＦ１〜第３スイッチＦ３のオンオフ状態およびＶＯＫ信号、ＶＡＬＭ信号およびＤＤＣＯＮ信号の出力状態を示す。横軸は、電力供給回路１００の動作状況に応じて、区間ｔ１〜ｔ１２に分けられる。
【００７０】
区間ｔ１は、供給端子ＶＤＤＣの電圧が０から昇圧される区間である。区間ｔ１において、第１スイッチＦ１〜第３スイッチＦ３がオフされた状態で、供給端子ＶＤＤＣの電圧が入出力部２０により昇圧される。
【００７１】
区間ｔ２は、供給端子ＶＤＤＣの電圧がＤＣ／ＤＣ起動電圧ＶＶＤＤＣＯＮ（または、スタートアップ終了電圧）を超えてからの区間である。区間ｔ２では、ＤＣ／ＤＣコンバータ２２が動作して、ＤＤＣＯＮ信号がハイとなる。
【００７２】
区間ｔ３は、供給端子ＶＤＤＣの電圧が、コンデンサ蓄電開始電圧を超えてからの区間である。区間ｔ３では、第１コンデンサ５０を蓄電するべく第３スイッチＦ３をオンする。なお、図８の例では、供給端子ＶＤＤＣの電圧が、スキップ開始電圧（図８では、ＶＴＧＴで示している）〜スキップ開始電圧−α（図８では、ＶＴＧＴ−ζで示している）の範囲に維持されるように、ＤＣ／ＤＣコンバータ２２および第３スイッチＦ３のオンオフが繰り返される。
【００７３】
区間ｔ４は、コンデンサ端子ＶＯの電圧が電力供給開始電圧Ｖｔａｒｇｅｔ４を超えてからの区間である。区間ｔ４において、第２スイッチＦ２がオンされる。これにより、第１コンデンサ５０に蓄電された電力および入出力部２０からの電力が負荷端子ＶＯＵＴに出力されて負荷４０が動作する。この場合、負荷端子ＶＯＵＴの電圧は、コンデンサ端子ＶＯの電圧と等しくなる。なお、区間ｔ４においては、負荷４０に電力を供給しているが、蓄電装置６０には十分に電力が蓄電されていないので、ＶＡＬＭ信号がハイになる。
【００７４】
区間ｔ５は、コンデンサ端子ＶＯおよび負荷端子ＶＯＵＴの電圧が蓄電装置蓄電開始電圧Ｖｔａｒｇｅｔ３を超えてからの区間である。区間ｔ５では、第１スイッチＦ１が切替制御部７０によりオンオフ制御される。これにより、蓄電装置６０は、入出力部２０が出力した供給電力Ｐｄｄｃのうち、負荷４０および第１コンデンサ５０で消費されない余剰の電力を蓄電する。区間ｔ５では、ＶＯＫ信号はハイとなる。負荷端子ＶＯＵＴの電圧は、蓄電装置蓄電開始電圧Ｖｔａｒｇｅｔ３〜蓄電装置蓄電開始電圧Ｖｔａｒｇｅｔ３−γの範囲に制御されて、蓄電装置６０に蓄電できる。
【００７５】
区間ｔ６は、蓄電端子ＶＳの電圧がＶＶＡＬＭ電圧を超えた区間である。区間６では、ＶＡＬＭ信号がローになる。
【００７６】
区間ｔ７およびｔ８は、発電装置１０が発電する入力電力Ｐｉｎが低下した区間に対応する。区間ｔ７において、発電装置１０の入力電力Ｐｉｎの電圧が、ＤＣ／ＤＣコンバータ２０が動作できる最小電圧ＶＭＰＰＬ以下に下がり、ＤＣ／ＤＣ動作が停止した場合、第３スイッチＦ３がオフされる。また、第３スイッチＦ３がオフされると、コンデンサ端子ＶＯの電圧も低下するので、第１スイッチＦ１もオフになる。一方、第２スイッチＦ２はオンの状態を維持して、第１コンデンサ５０に蓄電された電力を負荷端子ＶＯＵＴに出力する。第３スイッチＦ３がオフなので、蓄電端子ＶＳの電圧は一定となる。
【００７７】
区間ｔ８において、コンデンサ端子ＶＯの電圧が蓄電端子ＶＳの電圧以下に低下した場合、蓄電端子ＶＳに蓄電下限電圧ＶＶＳＬＯＷ以上の電圧があれば第１スイッチＦ１をオンする。これにより、蓄電装置６０に蓄電された電力を負荷端子ＶＯＵＴに出力する。区間ｔ８では、各端子（供給端子ＶＤＤＣ、コンデンサ端子ＶＯ、蓄電端子ＶＳ、負荷端子ＶＯＵＴ）の電圧が等しくなる。
【００７８】
区間ｔ９は、入力電力Ｐｉｎの電圧が再び上昇した区間である。区間ｔ９では、供給端子ＶＤＤＣの電圧が上昇する。コンデンサ端子ＶＯの電圧がＶＶＡＬＭ電圧になると、ＶＡＬＭ信号がハイになる。区間ｔ９では、入出力部２０からの電力および第１コンデンサ５０に蓄電された電力が負荷端子ＶＯＵＴに出力されて負荷４０が動作する。区間ｔ９では、第３スイッチＦ３はオフになる。この場合、負荷端子ＶＯＵＴの電圧は、コンデンサ端子ＶＯの電圧と等しくなる。
【００７９】
区間ｔ１０では、コンデンサ端子ＶＯおよび負荷端子ＶＯＵＴの電圧が徐々に上昇する。区間ｔ１１では、コンデンサ端子ＶＯの電圧が、蓄電装置蓄電開始電圧Ｖｔａｒｇｅｔ３を超えて、蓄電装置６０の蓄電が再開される。区間ｔ１２では、蓄電装置６０の蓄電量が所定値以上となり、ＶＡＬＭ信号が解除される。
【００８０】
電力供給回路１００は、入力電力Ｐｉｎの電圧が最小電圧ＶＭＰＰＬ以下となりＤＣ／ＤＣコンバータ２２が停止した時から、入力電力Ｐｉｎの電圧が戻る時間（あるいはスルーレート）を計測して、入力の目標電圧（ＶＭＰＰＨ、ＶＭＰＰＬ）を変えること、あるいは、ＤＣ／ＤＣコンバータ２２が起動を開始して、最小電圧ＶＭＰＰＬ以下になるまでの時間に応じて、入力の目標電圧（ＶＭＰＰＨ、ＶＭＰＰＬ）を変えることにより、ＭＰＰＴ制御範囲を拡大できる。たとえば、入力電力Ｐｉｎの電圧が最大電圧ＶＭＰＰＨを超えてスイッチングして、最小電圧ＶＭＰＰＬを切ったのち、再び最大電圧ＶＭＰＰＨを超えるまでの時間をタイマーでカウントする。カウント数が予め定められた回数より少ない場合、ＶＭＰＰＨとＶＭＰＰＬの電圧を上昇させる。また、電力供給回路１００は、カウント数が予め定められた回数より多い場合、ＶＭＰＰＨとＶＭＰＰＬの電圧を下げる。あるいは、入力電力Ｐｉｎの電圧が最大電圧ＶＭＰＰＨを超えてスイッチングして、入力電力Ｐｉｎの電圧が最小電圧ＶＭＰＰＬを切るまでの時間をカウントして、カウント数が予め定められた回数より多い場合、ＶＭＰＰＨとＶＭＰＰＬを上昇させる。また、カウント数が予め定められた回数より少ない場合、ＶＭＰＰＨとＶＭＰＰＬを減少させる。電力供給回路１００は、これらの方法により得られたＶＭＰＰＨとＶＭＰＰＬが、共に良い条件となるようなＶＭＰＰＨとＶＭＰＰＬを適宜選択することにより、発電装置１０は、最大電力点付近で動作できる。なお、電力供給回路１００は、外部に設けられた抵抗Ｒｍｐｐｈおよび抵抗Ｒｍｐｐｌの大きさをそれぞれ制御することにより、ＶＭＰＰＨとＶＭＰＰＬを変更する。また、電力供給回路１００は、抵抗Ｒｍｐｐｈおよび抵抗Ｒｍｐｐｌを備えて、ＶＭＰＰＨとＶＭＰＰＬを変更してよい。
【００８１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００８２】
１０  発電装置、２０  入出力部、２１  スタートアップ回路、２２  ＤＣ／ＤＣコンバータ、２３  第２コンデンサ、２４  入力電圧モニター部、２５  制御回路、３０  切替部、４０  負荷、５０  第１コンデンサ、６０  蓄電装置、７０  切替制御部、７５  基準電圧出力部、８０  電圧発生部、１００  電力供給回路
【図１】
2015104179.tif 000003
【図２】
2015104179.tif 000004
【図３】
2015104179.tif 000005
【図４】
2015104179.tif 000006
【図５】
2015104179.tif 000007
【図６】
2015104179.tif 000008
【図７】
2015104179.tif 000009
【図８】
2015104179.tif 000010